(57)【要約】【課題】  ＥＬ表示部の背面側に押下入力部を併設した複合型表示装置において、層間剥離、ＥＬ表示部の歪み、押下入力部の検出不良等を回避しつつ、全体の厚みを削減する。【解決手段】  複合型表示装置１０は、観察面１２及び背面１４を有する平板状のＥＬ表示部１６と、ＥＬ表示部１６の背面１４に配置される平板状の押下入力部１８とを備える。ＥＬ表示部１６は、第１基板２０と、第１基板２０の裏面２０ｂに形成される陽極層２２と、陽極層２２に積層される発光機能層２４と、発光機能層２４に積層される陰極層２６とを備える。押下入力部１８は、第２基板３２と、第２基板３２の表面３２ａに形成される下部導電膜３４と、下部導電膜３４に対し導通接触可能に離間配置される上部導電膜３６とを備える。ＥＬ表示部１６の陰極層２６と押下入力部１８の上部導電膜３６との間には、陰極層２６の背面１４に成膜技術により被着形成される絶縁皮膜４４が介在する。【選択図】      図１
2005182152.tif 000002
【特許請求の範囲】
【請求項１】
観察面及び該観察面の反対側の背面を有する平板状のＥＬ表示部と、該ＥＬ表示部の該背面に沿って配置される平板状の押下入力部とを備える複合型表示装置において、
前記ＥＬ表示部は、前記観察面を有するとともに光透過性及び可撓性を有する第１基板と、該観察面の反対側の該第１基板の裏面に形成される光透過性の陽極層と、該陽極層に積層される発光機能層と、該発光機能層に積層され、前記背面を有する陰極層とを備え、
前記押下入力部は、第２基板と、該第２基板の一表面に形成される下部導電膜と、該下部導電膜に対し導通接触可能に対向かつ離間して配置される上部導電膜とを備え、
前記ＥＬ表示部の前記陰極層と前記押下入力部の前記上部導電膜との間に、該陰極層の前記背面に成膜技術により被着形成される絶縁皮膜が介在すること、
を特徴とする複合型表示装置。
【請求項２】
前記押下入力部の前記上部導電膜が、前記絶縁皮膜に対し成膜技術により被着形成されている請求項１に記載の複合型表示装置。
【請求項３】
透明な絶縁基板及び該絶縁基板の一表面に設けられる透明な導電膜をそれぞれに有する一対の検出部材を備え、それら検出部材を該導電膜同士が導通接触可能に対向かつ離間する相対配置で互いに組み合わせた状態で、表示装置の観察面に搭載して使用されるタッチパネルにおいて、
前記一対の検出部材の外周領域に設置され、表示装置の動作中に発光するシート状のＥＬ素子を具備することを特徴とするタッチパネル。
【請求項４】
前記一対の検出部材からの入力検出信号に応答して前記ＥＬ素子を発光させる制御回路をさらに具備する請求項３に記載のタッチパネル。
【請求項５】
前記ＥＬ素子に隣接して配置され、該ＥＬ素子が発する光を、表示装置の観察面に重なるタッチパネルの検出機能領域に導く導光部材をさらに具備する請求項３又は４に記載のタッチパネル。
【発明の詳細な説明】
【技術分野】
【０００１】
本発明は、ＥＬ表示部と押下入力部とを互いに併設して構成される複合型表示装置に関する。本発明はさらに、表示装置の観察面側に設置されるタッチパネルに関する。
【背景技術】
【０００２】
タッチパネルは、パーソナルコンピュータ、携帯情報端末（ＰＤＡ）、現金自動預払機（ＡＴＭ）等の、表示装置を備えたデータ処理装置において、パネル表面の所望位置をオペレータがペンや指で押圧することにより、表示装置における二次元座標データを入力指示する入力装置として知られている。特に、ＬＣＤ（液晶ディスプレイ）、ＰＤＰ（プラズマパネル）、ＣＲＴ（ブラウン管）等の観察面に重ねて設置可能な、それ自体透明な構造を有するタッチパネルが、広く利用されている。
【０００３】
透明構造のタッチパネルは、透明な絶縁基板と絶縁基板表面に設けられる透明な導電膜とを各々に有した一対の板状の検出部材を備えて構成される。それら検出部材は、隙間を介して導電膜同士を対向させた状態で、両絶縁基板の外周縁に沿って帯状に延設される接着剤層を介して、互いに重ね合わせて固定される。通常、オペレータが押圧操作する上側の検出部材の絶縁基板は、可撓性が要求されるので薄層のガラス板や樹脂フィルムから形成される。他方、下側の検出部材の絶縁基板は、基材として剛性が要求される用途では比較的厚みの大きなガラス板や樹脂パネルから形成され、また剛性が要求されない用途では樹脂フィルム等から形成される。
【０００４】
タッチパネルを併設した表示装置において、タッチパネルを透視することによる観察面の視認性低下の問題を解決するために、柔軟な薄板状構造の表示装置を採用するとともに、観察面とは反対側の表示装置の背面に沿ってタッチパネルを設置した複合型表示装置が提案されている。例えば、特許文献１に記載される複合型表示装置は、可撓性を有するエレクトロルミネッセンス（本明細書でＥＬと称する）表示パネルの背面側に、接着層を介してタッチパネルを密着装備したものである。接着層は、ＥＬ表示パネルの背面側電極を支持する樹脂フィルム等の支持体の裏面（すなわちＥＬ表示パネルの背面）と、タッチパネルの上側（すなわち押圧側）検出部材の絶縁基板（樹脂フィルム）の表面との間に介在して、両者を相互に固着する。また特許文献１では、ＥＬ表示パネルの背面側支持体の裏面に、タッチパネルの押圧側の導電膜を直接形成する構成についても言及されている。
【０００５】
ところで、表示装置の観察面側にタッチパネルを設置する構成では、観察面の視認性を向上させるために、一般的なバックライト構造に代えて、観察面をその前方から照らす照明手段（すなわちフロントライト）を設置することが提案されている。例えば、特許文献２に記載される表示部照明付きの情報端末装置では、タッチパネルを有する表示部に対し、ヒンジ部を介して折り畳み自在に取り付けられた蓋部の上端に、表示部の全体を上方から照らす一対のライトが設置されている。また特許文献２には、タッチパネルの使用状況に応じてライトの点灯及び消灯を制御する構成が開示されている。
【０００６】
【特許文献１】特開２００１−３４３９０８号公報
【特許文献２】特開平１１−２８３４４０号公報
【発明の開示】
【発明が解決しようとする課題】
【０００７】
上記特許文献１に記載される複合型表示装置において、ＥＬ表示パネルに接着層を介してタッチパネル（すなわち押下入力部）を固着した構成では、ＥＬ表示パネルの背面側支持体とタッチパネルの上側（押圧側）絶縁基板とが互いに異なる膨張率を有する材料から形成される場合に、環境温度変化によって接着層に主として剪断方向への応力が加わり、接着層の剥離、ＥＬ表示パネルの歪み、押圧側絶縁基板の撓みによるタッチパネルの検出不良等の問題が生じる危惧が有る。また、それぞれに独立した装置であるＥＬ表示パネルとタッチパネルとを互いに密着させる構成であるから、複合型表示装置全体の厚みの増加が懸念される。ＥＬ表示パネルの背面側支持体の裏面にタッチパネルの押圧側導電膜を直接形成したとしても、厚みの削減には限界が有る。このような問題は特に、液晶ディスプレイよりも一層の薄形化が可能なＥＬ表示部を有する複合型表示装置において、顕現することが予測される。
【０００８】
また、上記特許文献２に記載される表示部照明付きの情報端末装置では、タッチパネルを有する表示部に対し折り畳み自在な蓋部の上端にライトを設置しているから、端末装置全体の寸法及び重量の増加並びに構造の複雑化が問題となる。さらに、表示装置にタッチパネルを併設したこの種のデータ処理装置では、タッチパネルの入力操作時に、表示装置の画面表示以外の手段で、入力の実行を即座に認知できることが、操作確度を向上させる点で所望されている。
【０００９】
本発明の目的は、ＥＬ表示部の背面側にタッチパネル構造を有する押下入力部を併設して構成される複合型表示装置において、接着層を介してＥＬ表示部と押下入力部とを相互固着した従来構造における接着層の剥離、ＥＬ表示部の歪み、押下入力部の検出不良等の問題を解決でき、しかも装置全体の厚みを可及的に削減できる複合型表示装置を提供することにある。
【００１０】
本発明の他の目的は、表示装置の観察面側にタッチパネルを設置する構成において、表示装置及びタッチパネルを含む複合システム全体の寸法及び重量の増加を可及的に抑制しつつ、観察面の視認性を向上させることができるとともに、タッチパネルの入力の実行を操作者に即座に認知させることができる簡易構造の照明手段を備えたタッチパネルを提供することにある。
【課題を解決するための手段】
【００１１】
上記目的を達成するために、請求項１に記載の発明は、観察面及び観察面の反対側の背面を有する平板状のＥＬ表示部と、ＥＬ表示部の該背面に沿って配置される平板状の押下入力部とを備える複合型表示装置において、ＥＬ表示部は、観察面を有するとともに光透過性及び可撓性を有する第１基板と、観察面の反対側の第１基板の裏面に形成される光透過性の陽極層と、陽極層に積層される発光機能層と、発光機能層に積層され、背面を有する陰極層とを備え、押下入力部は、第２基板と、第２基板の一表面に形成される下部導電膜と、下部導電膜に対し導通接触可能に対向かつ離間して配置される上部導電膜とを備え、ＥＬ表示部の陰極層と押下入力部の上部導電膜との間に、陰極層の背面に成膜技術により被着形成される絶縁皮膜が介在すること、を特徴とする複合型表示装置を提供する。
【００１２】
請求項２に記載の発明は、請求項１に記載の複合型表示装置において、押下入力部の上部導電膜が、絶縁皮膜に対し成膜技術により被着形成されている複合型表示装置を提供する。
【００１３】
請求項３に記載の発明は、透明な絶縁基板及び絶縁基板の一表面に設けられる透明な導電膜をそれぞれに有する一対の検出部材を備え、それら検出部材を導電膜同士が導通接触可能に対向かつ離間する相対配置で互いに組み合わせた状態で、表示装置の観察面に搭載して使用されるタッチパネルにおいて、一対の検出部材の外周領域に設置され、表示装置の動作中に発光するシート状のＥＬ素子を具備することを特徴とするタッチパネルを提供する。
【００１４】
請求項４に記載の発明は、請求項３に記載のタッチパネルにおいて、一対の検出部材からの入力検出信号に応答してＥＬ素子を発光させる制御回路をさらに具備するタッチパネルを提供する。
【００１５】
請求項５に記載の発明は、請求項３又は４に記載のタッチパネルにおいて、ＥＬ素子に隣接して配置され、ＥＬ素子が発する光を、表示装置の観察面に重なるタッチパネルの検出機能領域に導く導光部材をさらに具備するタッチパネルを提供する。
【発明の効果】
【００１６】
請求項１に記載の発明によれば、ＥＬ表示部と押下入力部とが、両者間に支持体を介在させること無く、ＥＬ表示部の陰極層に直接に成膜される絶縁皮膜を介して相互に連結されるから、例えば既述の特許文献１に記載されるような、ＥＬ表示パネルの背面側支持体とタッチパネルの上側絶縁基板とが接着層を介して相互固着される従来構造における、背面側支持体と上側絶縁基板との膨張率の差に起因した接着層の剥離、ＥＬ表示パネルの歪み、タッチパネルの検出不良等の問題が確実に解決される。しかも、絶縁皮膜は、ＥＬ表示部と押下入力部とを相互に絶縁するための必須構成要素であるとともに、第１基板と第２基板との間に形成される積層皮膜構造の一要素であるから、それぞれに独立した装置構成を有するＥＬ表示パネルとタッチパネルとを互いに密着させる従来構造に比べ、ＥＬ表示パネルの背面側支持体とタッチパネルの上側絶縁基板との双方を省略でき、その結果、複合型表示装置の全体の厚みを可及的に削減できる。
【００１７】
請求項２に記載の発明によれば、第１基板と第２基板との間に形成される積層皮膜構造の製造工程が簡略化されるとともに、押下入力部の上部導電膜の成形精度を確保できる。
【００１８】
請求項３に記載の発明によれば、ＥＬ素子は、タッチパネルを併設する表示装置の動作中に発光して、表示装置の観察面の主表示領域に重畳するタッチパネルの検出機能領域を照射するフロントライトとして機能したり、タッチパネルの入力の実行をオペレータに認知させる手段として機能したりすることができる。このようなフロントライト構造及び入力認知手段は、場所を取らない小型軽量のものであるから、タッチパネル及び表示装置を含む複合システム全体の寸法及び重量の増加を可及的に抑制しつつ、観察面の視認性及びタッチパネルの操作確度を向上させる効果を奏する。
【００１９】
請求項４に記載の発明によれば、ＥＬ素子及びその制御回路を追加するだけの極めて簡易な構造により、タッチパネルの入力操作時に、正確な入力を行う都度、ＥＬ素子を発光させて、オペレータに入力の実行を即座に認知させることができる。
【００２０】
請求項５に記載の発明によれば、ＥＬ素子が発する光を効率的に検出機能領域に導いて、観察面の視認性を著しく向上させることができる。
【発明を実施するための最良の形態】
【００２１】
以下、添付図面を参照して、本発明の実施の形態を詳細に説明する。全図面に渡り、対応する構成要素には共通の参照符号を付す。
図面を参照すると、図１及び図２は、本発明の一実施形態による複合型表示装置１０の構成を、それぞれ模式図的に示す断面図及び斜視図である。
【００２２】
複合型表示装置１０は、観察面１２及び観察面１２の反対側の背面１４を有する平板状のＥＬ表示部１６と、ＥＬ表示部１６の背面１４に沿って配置される平板状の押下入力部１８とを備える。ＥＬ表示部１６は、一方の表面２０ａが観察面１２を構成する光透過性及び可撓性を有する第１基板２０と、観察面１２とは反対側の第１基板２０の裏面２０ｂに薄膜状に形成される光透過性の陽極層２２と、第１基板２０から見て陽極層２２の上に薄膜状に積層形成される発光機能層２４と、第１基板２０から見て発光機能層２４の上に薄膜状に積層形成され、発光機能層２４とは反対側の面２６ａが背面１４を構成する陰極層２６とを備える。
【００２３】
第１基板２０は、ＰＥＴ（ポリエチレンテレフタレート）、ＰＣ（ポリカーボネート）等の樹脂材料から作製される。陽極層２２は、ＩＴＯ（酸化インジウム錫）等の導電性皮膜から形成される。発光機能層２４は、陽極層２４に隣接する正孔輸送層２８と、陰極層２６に隣接する電子輸送性の発光層３０とを含んで構成され、正孔輸送層２８としてはＮＰＢ（N,N-di(naphthalene-1-yl)-N,N-diphenyl-benzidene）等が、また発光層３０としてはＡｌｑ３（アルミニウムキノリノール錯体）等が使用される。陰極層２６は、Ｍｇ（マグネシウム）合金等の導電性皮膜から形成される。
【００２４】
陽極層２４、正孔輸送層２８、発光層３０及び陰極層２６は、第１基板２０の裏面２０ｂに対し順次、例えば真空蒸着法等の成膜技術によって積層形成される。陽極層２４と陰極層２６との間に直流電圧を印加すると、陽極層２４から注入された正孔が正孔輸送層２８を経て発光層３０に到達する一方、陰極層２６から注入された電子が発光層３０に達し、それら正孔と電子とが発光層３０で再結合することにより所定波長の光が発光層３０に生じる。なお、本発明は、ＥＬ表示部１６の構成を限定するものでなく、ＥＬ表示装置として従来知られている種々の構成をＥＬ表示部に採用できる。
【００２５】
押下入力部１８は、一般的なタッチパネルに類似した構成を有するものであり、第２基板３２と、第２基板３２の一表面３２ａに形成される下部導電膜３４と、下部導電膜３４に対し導通接触可能に対向かつ離間して配置される上部導電膜３６とを備える。下部導電膜３４の表面には、電気絶縁性の多数のドットスペーサ３８が分散配置される。また下部導電膜３４と上部導電膜３６とは、両導電膜３４、３６の外周縁に沿って帯状に延設される電気絶縁性の接着剤層４０によって相互に固定される。接着剤層４０は、両導電膜３４、３６の間に予め定めた寸法の隙間４２を確保する。またドットスペーサ３８は、後述するように、上部導電膜３６側の構成要素群の自重による変形を抑制して隙間４２を維持する一方で、上部導電膜３６側の構成要素群が押圧力下で変形したときには押圧位置における両導電膜３４、３６の短絡を許容する。
【００２６】
第２基板３２は、ガラスや樹脂材料（ＰＥＴ等）から作製される。下部導電膜３４及び上部導電膜３６は、チタン等の比較的高強度の導電性皮膜から形成される。下部導電膜３４は、第２基板３２の表面３２ａに対し、スパッタリング等の成膜技術によって形成される。多数のドットスペーサ３８は、例えば紫外線硬化樹脂材料からフォトレジスト法により、下部導電膜３４上に所定パターンで形成される。また図示しないが、下部導電膜３４及び上部導電膜３６上には、それら導電膜３４、３６の互いに９０度異なる対向辺に沿って配置される電極対と、導電膜３４、３６から絶縁してそれぞれの電極対に接続される配線ストリップとが、例えばスクリーン印刷法によりパターン形成される。
【００２７】
複合型表示装置１０では、その特徴的構成として、ＥＬ表示部１６の陰極層２６と押下入力部１８の上部導電膜３６との間に、陰極層２６の面２６ａすなわち背面１４に成膜技術により被着形成される絶縁皮膜４４が介在する。絶縁皮膜４４は、例えばＳｉＯ２（二酸化ケイ素）からなり、陰極層２６の背面１４に対しスパッタリング等の成膜技術によって形成される。さらに、押下入力部１８の上部導電膜３６が、絶縁皮膜４４に対しスパッタリング等の成膜技術により被着形成される。絶縁皮膜４４は、陰極層２６と上部導電膜３６との間を確実に絶縁できる厚み及び材質を有する。
【００２８】
複合型表示装置１０を作製する際には、ＥＬ表示部１６の第１基板２０の裏面２０ｂに対し、陽極層２４、正孔輸送層２８、発光層３０、陰極層２６、絶縁皮膜４４及び上部導電膜３６をこの順序で、いずれも成膜技術によって積層形成する。この状態で、上部導電膜３６の表面に、電極対及び配線ストリップをパターン形成する。他方、押下入力部１８の第２基板３２の表面３２ａに、下部導電膜３４を成膜し、下部導電膜３４の表面に、多数のドットスペーサ３８を設けるとともに電極対及び配線ストリップをパターン形成する。そして、これら上部導電膜３６側の構成要素群と下部導電膜３４側の構成要素群とを、両導電膜３４、３６を接着剤層４０により相互に固着することにより、互いに固定的に連結し、それにより複合型表示装置１０が完成する。
【００２９】
上記構成を有する複合型表示装置１０は、柔軟な薄板状構造を有するＥＬ表示部１６の背面１４に沿って、二次元座標データ入力用の押下入力部１８を設置したものであるから、表示装置の観察面側にタッチパネルを設置した従来の複合型表示装置に比べて、タッチパネルを透視することによる観察面の視認性低下の問題が解決される。また、押下入力部１８に透視機能が要求されないので、押下入力部１８の検出要素である下部及び上部導電膜３４、３６に、ＩＴＯ等の透明導電膜に比べて機械的強度に優れた不透明な導電性皮膜を使用することができ、それにより押下入力部１８の耐久性を向上させることができる。
【００３０】
さらに複合型表示装置１０によれば、ＥＬ表示部１６と押下入力部１８とが、両者間に樹脂フィルム等の支持体を介在させること無く、ＥＬ表示部１６の陰極層２６に直接に成膜される絶縁皮膜４４を介して相互に連結されるから、例えば既述の特許文献１に記載されるような、ＥＬ表示パネルの背面側支持体とタッチパネルの上側絶縁基板とが接着層を介して相互固着される従来構造における、背面側支持体と上側絶縁基板との膨張率の差に起因した接着層の剥離、ＥＬ表示パネルの歪み、タッチパネルの検出不良等の問題が確実に解決される。しかも、絶縁皮膜４４は、ＥＬ表示部１６と押下入力部１８とを相互に絶縁するための必須構成要素であるとともに、一対の基板２０、３２の間で成膜技術によって順次形成される積層皮膜構造の一要素であるから、それぞれに独立した装置構成を有するＥＬ表示パネルとタッチパネルとを互いに密着させる従来構造に比べ、ＥＬ表示パネルの背面側支持体とタッチパネルの上側絶縁基板との双方を省略でき、その結果、複合型表示装置１０の全体の厚みを可及的に削減できる。したがって複合型表示装置１０によれば、ＥＬ表示部１６が本質的に奏する薄型化の効果を一層促進することができる。
【００３１】
図３及び図４は、表示装置の観察面側に設置される本発明の他の実施形態によるタッチパネル５０を示す。タッチパネル５０は、透明な絶縁基板５２及び絶縁基板５２の一表面５２ａに設けられる透明な導電膜５４を有する第１検出部材５６と、透明な絶縁基板５８及び絶縁基板５８の一表面５８ａに設けられる透明な導電膜６０を有する第２検出部材６２とを備える。それら第１及び第２検出部材５６、６２は、各々の導電膜５４、６０同士を隙間６４を介し対向させた状態で、両導電膜５４、６０の周縁に沿って枠状に延設される接着剤層６６を介して互いに固定される。
【００３２】
第１検出部材５６は、オペレータによって押圧操作される上側検出部材であり、その絶縁基板５２は、ＰＥＴ、ＰＣ等の可撓性に富む樹脂フィルムから形成される。これに対し第２検出部材６２は、ＬＣＤ、ＰＤＰ、ＣＲＴ等の表示装置６８の観察面７０に隣接配置される下側検出部材であり、その絶縁基板５８は、ガラス板、プラスチック板、樹脂フィルム等から形成される。また、各検出部材５６、６２の導電膜５４、６０は、ＩＴＯ等の導電性皮膜からなり、例えば真空蒸着法によって各絶縁基板５２、５８の表面５２ａ、５８ａに被着形成される。
【００３３】
第２検出部材６２の導電膜６０上には、電気絶縁性の多数のドットスペーサ７２が分散配置される。それらドットスペーサ７２は、第１検出部材５６の自重による変形を抑制して隙間６４を維持する一方で、第１検出部材５６が押圧力下で変形したときには押圧位置における両導電膜５４、６０の短絡を許容する。多数のドットスペーサ７２は、例えば紫外線硬化樹脂材料からフォトレジスト法により、導電膜６０上に所定パターンで形成される。さらに、第１及び第２検出部材５６、６２の各々の導電膜５４、６０上には、それら導電膜５４、６０のそれぞれの対向辺に沿って互いに９０度異なる位置に配置される各一対の電極７４、７６と、導電膜５４、６０から絶縁してそれら電極対７４、７６に接続される第１及び第２配線ストリップ（図示せず）とが、例えばスクリーン印刷法によりパターン形成される。
【００３４】
タッチパネル５０は、第１及び第２検出部材５６、６２の外周領域に設置されるシート状のＥＬ素子７８を備える。ＥＬ素子７８は、タッチパネル５０の接着剤層６６に対応する枠状輪郭を有し、タッチパネル５０の非検出機能領域（平面視で接着剤層６６に重畳する領域）８０に沿って、第１検出部材５６の絶縁基板５２の外面５２ｂに例えば接着剤層（図示せず）を介して固定的に載置される。ＥＬ素子７８は、タッチパネル５０を併設する表示装置６８の動作中に発光して、表示装置６８の観察面７０の主表示領域に重畳するタッチパネル５０の検出機能領域（平面視で接着剤層６６の内側の領域）８２を照射したり、タッチパネル５０の入力の実行をオペレータに認知させたりするように作用する。
【００３５】
上記構成を有するタッチパネル５０では、例えば、表示装置６８を起動すると同時にＥＬ素子７８に電圧を印加してＥＬ素子７８を継続的に発光させるように構成すれば、第１及び第２検出部材５６、６２の外周領域に設置されるシート状のＥＬ素子７８が、表示装置６８の観察面７０の主表示領域に重畳する検出機能領域８２を照射するフロントライトとして機能する。このようなフロントライト構造は、場所を取らない小型軽量のものであるから、タッチパネル５０及び表示装置６８を含む複合システム全体の寸法及び重量の増加を可及的に抑制しつつ、観察面７０の視認性を向上させることができる。或いはタッチパネル５０を、その入力操作の都度、ＥＬ素子７８に電圧を印加してＥＬ素子７８を断続的に発光させるように構成すれば、シート状のＥＬ素子７８が、表示装置６８の画面表示以外にオペレータに入力の実行を即座に認知させる手段として機能する。このような入力認知手段によれば、複合システム全体の寸法及び重量の増加を可及的に抑制しつつ、タッチパネル５０の操作確度を向上させることができる。
【００３６】
ＥＬ素子７８を、検出機能領域８２を照射するフロントライトとして使用する場合は、ＥＬ素子７８に隣接して導光部材８４を設置することが有利である。導光部材８４は、ＥＬ素子７８に合致する輪郭を有して、絶縁基板５２とは反対側でＥＬ素子７８の表面７８ａに固定的に載置され、ＥＬ素子７８が発する光を検出機能領域８２に導くように作用する。それにより、少ない電力でもＥＬ素子７８が発する光を効率的に使用して、観察面７０の視認性を著しく向上させることができる。導光部材８４の構成は、導光板として公知のプリズム状の構成を採用できる。
【００３７】
ＥＬ素子７８を、タッチパネル５０の入力の実行をオペレータに認知させる手段として使用する場合は、第１及び第２検出部材５６、６２からの入力検出信号に応答してＥＬ素子７８を発光させる制御回路８６を備えることが有利である。制御回路８６は、第１及び第２検出部材５６、６２における入力情報を検出する入力情報検出部８８と、入力情報検出部８８で検出された入力情報に基づき、ＥＬ素子７８へ印加する電圧を調整してＥＬ素子７８の発光を制御する発光制御部９０とを備える。発光制御部９０は、タッチパネル５０が正確に入力操作されたとき（すなわち第１及び第２検出部材５６、６２が相互に導通接触したとき）に、ＥＬ素子７８を発光させるように構成できる。なお、入力情報検出部８８は、検出した入力情報を二次元座標データとして処理するタッチパネル５０の処理部（ＣＰＵ、メモリ等を含む）９２に接続され、処理部９２がインタフェース部９４を介して、パーソナルコンピュータ等のデータ処理装置９６に接続される。
【００３８】
上記構成によれば、タッチパネル５０の入力操作時に、正確な入力を行う都度、ＥＬ素子７８を発光させることにより、オペレータに入力の実行を即座に認知させることができる。したがって、ＥＬ素子７８及びその制御回路（実質的には発光制御部９０）を追加するだけの極めて簡易な構造により、タッチパネル５０の操作確度を著しく向上させることができる。
【００３９】
なおタッチパネル５０では、フロントライト及び入力認知手段のいずれか一方の機能を有する１つのＥＬ素子７８を装備することもできるし、それら機能を分掌する２つ以上のＥＬ素子７８を装備することもできる。１つの機能を有するＥＬ素子７８は、図４及び図５（ａ）に示すように非検出機能領域８０の全体に延設される枠状輪郭を有することもできるし、或いは図５（ｂ）に示すように非検出機能領域８０の所望箇所に配置される帯状輪郭を有することもできる。後者の場合、同一機能の複数個の帯状のＥＬ素子７８を使用することもできる。また、機能を分掌する２つ以上のＥＬ素子７８は、例えば図５（ｃ）に示すように、フロントライト機能を有する平面視コ字状のＥＬ素子７８１と、入力認知機能を有する平面視矩形状のＥＬ素子７８２を組み合わせて使用することもできる。
【実施例】
【００４０】
図１に示す複合型表示装置１０を、以下の構成で作製した。
まず、表面２０ａ（観察面１２）にハードコート処理を施したＰＥＴフィルムからなる第１基板２０の裏面２０ｂに、スパッタリングにより１００ｎｍ厚のＩＴＯ製の陽極層２２を成膜した。次に、陽極層２２の露出面に、抵抗加熱式真空蒸着により５０ｎｍ厚のＮＰＢ製の正孔輸送層２８を成膜した。次に、正孔輸送層２８の露出面に、抵抗加熱式真空蒸着により５０ｎｍ厚のＡｌｑ３製の電子輸送性発光層３０を成膜した。次に、発光層３０の露出面に、抵抗加熱式真空蒸着（二元同時蒸着）により１５０ｎｍ厚のＭｇ−Ａｇ（マグネシウム銀合金）製の陰極層２６を成膜した。次に、陰極層２６の面２６ａ（背面１４）に、スパッタリングにより５００ｎｍ厚のＳｉＯ２製の絶縁皮膜４４を成膜した。次に、絶縁皮膜４４の露出面に、スパッタリングにより１００ｎｍ厚のＴｉ（チタン）製の上部導電膜３６を成膜した。上部導電膜３６の露出面には、スクリーン印刷により銀ペーストからなる電極対及び配線ストリップを形成した。
【００４１】
他方、ソーダライムガラスからなる第２基板３２の表面３２ａに、スパッタリングにより１００ｎｍ厚のＴｉ（チタン）製の下部導電膜３４を成膜した。下部導電膜３４の露出面には、スクリーン印刷により銀ペーストからなる電極対及び配線ストリップを形成するとともに、フォトレジスト法により紫外線硬化樹脂材料からなる複数のドットスペーサ３８を形成した。最後に、上部導電膜３６と下部導電膜３４とを接着剤層４０により相互に固着することにより、第１基板２０に支持される上部導電膜３６側の構成要素群と第２基板３２に支持される下部導電膜３４側の構成要素群とを互いに固定的に連結し、それにより複合型表示装置１０を作製した。完成した複合型表示装置１０は、層間剥離、ＥＬ表示パネルの歪み、タッチパネルの検出不良等を生じることなく安定して操作できるものであって、全体の厚みを削減した薄型表示装置が実現された。
【産業上の利用可能性】
【００４２】
本発明に係る複合型表示装置は、例えばパーソナルコンピュータ、携帯情報端末（ＰＤＡ）、現金自動預払機（ＡＴＭ）等の、表示装置を備えたデータ処理装置において使用でき、特に、表示装置自体の薄型化が要求される用途で有効に使用される。また、本発明に係るタッチパネルは、特に暗所での使用が予測されるタッチパネル付き表示装置において有効に使用できる。
【図面の簡単な説明】
【００４３】
【図１】本発明の一実施形態による複合型表示装置を模式図的に示す断面図である。
【図２】図１の複合型表示装置を模式図的に示す斜視図である。
【図３】本発明の一実施形態によるタッチパネルを模式図的に示す断面図である。
【図４】図３のタッチパネルをブロック図と共に模式図的に示す分解斜視図である。
【図５】図３のタッチパネルの変形例を示す図で、（ａ）一体枠状のＥＬ素子、（ｂ）機能分掌した２個のＥＬ素子、及び（ｃ）帯状のＥＬ素子の、それぞれを装備した状態を示す。
【符号の説明】
【００４４】
１０…複合型表示装置
１２…観察面
１４…背面
１６…ＥＬ表示部
１８…押下入力部
２０…第１基板
２２…陽極層
２４…発光機能層
２６…陰極層
２８…正孔輸送層
３０…発光層
３２…第２基板
３４…下部導電膜
３６…上部導電膜
４０、６６…接着剤層
４４…絶縁皮膜
５０…タッチパネル
５２、５８…絶縁基板
５４、６０…導電膜
５６…第１検出部材
６２…第２検出部材
７８、７８１、７８２…ＥＬ素子
８０…非検出機能領域
８２…検出機能領域
８４…導光部材
８６…制御回路
【図１】
2005182152.tif 000003
【図２】
2005182152.tif 000004
【図３】
2005182152.tif 000005
【図４】
2005182152.tif 000006
【図５】
2005182152.tif 000007